(57)【要約】【課題】従来の防災ベッドでは倒壊物や転倒物を遮蔽するための梁や柱などベッド上部構造が常設されているため、外観的に圧迫感があり、又、ベッド上から遮蔽構造物までの距離があるため、転倒物がベッド上に倒れこむ可能性が高く、又、格子状の遮蔽構造物の場合は、格子幅を下回る落下物は遮蔽できない。【解決手段】本発明では、倒壊物や転倒物を遮蔽する金属板状のカバーをベッドの土台部に収納し、地震などの災害時に、震度センサーにより作動した遮蔽カバーがベッド上部へと移動し、人体の保護を可能にし、又、遮蔽カバーがベッド上と近距離にあるため、ベッド上への転倒物をより一層避けることができる。【選択図】図６
2006254968.tif 000002
【特許請求の範囲】
【請求項１】
震災などの発生時にベッドの土台部に収納されている遮蔽カバーが、ヘッドボード及びフッドボードに装備されたガイドレールに沿って回転し、ベッド上部を遮蔽することにより、地震などによる家屋倒壊や家具などの転倒から、人体を保護するための防災ベッド。
【請求項２】
ベッドを構成するフレーム及びガイドレール及び遮蔽カバーが金属性又は強度のある成型用高分子素材から形成され、倒壊や転倒による重圧に耐えうる請求項１記載の防災ベッド。
【請求項３】
地震などの災害時に発生する可能性のある停電に対応するために、自動充電式バッテリーを電源とする電動モーターにより駆動する請求項１記載の防災ベッド。
【請求項４】
震度センサーにより、設定された震度以上の震度を感知した時に作動し、又、震度センサー自体の電源のON/OFFが容易にできる請求項1記載の防災ベッド。
【請求項５】
請求項3記載の自動充電式のバッテリーを電源とする自動点灯非常灯が備え付けられ、かつ通常時はON/OFFスイッチによって手動で点灯可能な請求項1記載の防災ベッド。
【請求項６】
ベッド前後のヘッドボード及びフッドボードに開閉式の脱出口を付属した請求項1記載の防災ベッド。
【発明の詳細な説明】
【技術分野】
【０００１】
震災などによる家屋倒壊や家具の転倒などから就寝中の人体を保護する防災用ベッドに関するもの
【背景技術】
【０００２】
従来の防災ベッドとしてはまず。特願2002-382308のようにベッド上部に金属性のアーチを施したものがある。又、特願平7-352111のようにベッド上部に天蓋様の梁を施したものがある。
【特許文献１】特願2002-382308
【特許文献２】特願平7-352111
【発明の開示】
【発明が解決しようとする課題】
【０００３】
従来の防災ベッドでは、落下物や転倒物などから、人体の保護のために金属性の柱や梁などでベッド上部を囲むように常設されているため、外観的、景観的に圧迫感があり、又、ベッド上から遮蔽物までの距離が広いため、転倒物などがベッド上に倒れこむ可能性が高い。
【０００４】
又、遮蔽物が格子状になっているものは、落下物が格子幅より小さいものを遮蔽できない。
【課題を解決するための手段】
【０００５】
請求項１より請求項６にいたる本発明は、落下物や転倒物などを遮蔽するカバーをベッドの土台部に収納し、地震などの災害時に震度センサーにより電動モーターが作動し、それにより遮蔽カバーがベッド土台部からベッド上部へと回転し、ベッド上部を遮蔽することにより人体の保護を可能にする。
【発明の効果】
【０００６】
まず、本発明は遮蔽カバーをベッドの土台部に収納することにより、通常時は、従来の防災ベッドのような金属性の柱や梁がむき出しになっているものと比べて、外観的、景観的な圧迫感が無く、一般ベッドに近い外観を維持できる。
【０００７】
又、遮蔽カバー作動時のベッド上から遮蔽カバーまでの距離が従来の防災ベッドに比べ狭いため、転倒物などがベッド上に倒れこむ可能性が低い。
【０００８】
又、遮蔽カバー自体が従来の防災ベッドのような格子状ではなく、湾曲した金属板であるため、微小な落下物も遮蔽することができる。
【発明を実施するための最良の形態】
【０００９】
まず、ベッド自体の基礎構造としては、家屋倒壊などに耐えうる剛性を持つ金属管を用い、図１で示すように、ヘッドボード及びフッドボードには柱状の２本の脚（a）に（b）と（c）の２本の梁を接続し、円形のガイドレール（d）を（b）,（c）の２本の梁にボルト及び溶接で接続し、円形のガイドレールには（e）の中子で補強する。
【００１０】
又、円形ガイドレールの下側には半円形の受け用ガイドレール（f）を（a）の2本の脚に接続する。円形のガイドレール上部及び受け用ガイドレールには、遮蔽カバー（g）がスムーズに作動できるようにベアリングが付属している。
【００１１】
次に図２に示すようにヘッドボード脚部（a）とフッドボード脚部(a)の間に２本の梁（h）を接続し、それぞれの中間に脚部（a）を接続する。円形ガイドレール（d）にも１本梁（h）を接続する。梁の間には桟（i）を数本接続する。
【００１２】
次に、作動構造としては、図３に示すように停電時に対応できるように自動充電式バッテリー（j）を電源として、震度センサー（k）が設定値以上の揺れを感知するとモーター（l）が作動し、遮蔽カバー（ｇ）とモーターとをつなぐワイヤー（m）が巻き上げられ、円形ガイドレール（d）に沿って遮蔽カバーがベッド土台部からベッド上部へと動いていき、脱出用開口部として必要な位置（ベッド上部から４０±１０ｃｍ）にあるストッパー（w）によって固定される。
【００１３】
又、図３に示すようにマットレス（ｎ）を置く空間の確保と遮蔽カバー出口での人体との衝突を避けるために、遮蔽カバーがマットレスよりも飛び出した状態になっているため、通常時はサイドガード（ｏ）によって収納されており、作動時にはサイドガードの上層部が開く。
【００１４】
又、遮蔽カバー作動時は、人体との衝突を緩和するために遮蔽カバー出口からストッパーまでの作動時間を旧木造家屋が倒壊するまでの時間（１６秒〜１７秒）以内で、かつ人体に衝撃を与えない程度の５秒（±３秒）の範囲で設定し、遮蔽カバー先端部にはクッション（ｐ）を取り付けている。
【００１５】
又、震度センサー及び非常灯（ｒ）にはＯＮ/ＯＦＦスイッチ（ｑ）が備え付けられている。
【００１６】
又、ヘッドボード及びフッドボードには脱出口（ｓ）が装備され、倒壊物などにより遮蔽カバーの開口部からの脱出が不可能な場合にそれらいずれかからの脱出が可能となる。
【００１７】
又、遮蔽カバーの構造としては、図４に示すように湾曲した金属板（v）に縦横に桟（ｔ）を渡して補強し、金属板端部（u）の前後は桟の厚みに合わせて金属板を厚くしている。
【図面の簡単な説明】
【００１８】
【図１】ヘッドボード及びフッドボードのフレーム構造図
【図２】ベッド上方向からのフレーム構造図
【図３】遮蔽カバー作動構造図
【図４】遮蔽カバー構造図
【図５】防災ベッドの通常使用時
【図６】遮蔽カバー使用時
【符号の説明】
【００１９】
（a）―脚部
（b）―ヘッドボード及びフッドボード上部梁
（c）―ヘッドボード及びフッドボード下部梁
（d）―円形ガイドレール
（e）―円形ガイドレール中子
（f）―受け用ガイドレール
（g）―遮蔽カバー
（h）―ヘッドボードとフッドボードをつなぐ梁
（i）―桟
（j）―自動充電式バッテリー
（k）―震度センサー
（l）―モーター
（m）―ワイヤー
（n）―マットレス
（o）―サイドガード
（p）―クッション
（q）―震度センサー及び非常灯のスイッチ
（r）―自動点灯非常灯
（s）―脱出口
（t）―桟
（u）―金属板端部
（v）―金属板
（w）―ストッパー
【図１】
2006254968.tif 000003
【図２】
2006254968.tif 000004
【図３】
2006254968.tif 000005
【図４】
2006254968.tif 000006
【図５】
2006254968.tif 000007
【図６】
2006254968.tif 000008